(57)【特許請求の範囲】
【請求項１】
被覆材が付着させられた建物の壁面を覆うカバーであって、
透明材料で形成された内側膜部材と、
不透明材料で形成され、外縁部において前記内側膜部材と接合され該内側膜部材に重ねて配置される外側膜部材と、
前記内側膜部材の一面側から他面側に開口するように接続された廃棄物袋とを備え、
前記内側膜部材が、孔部と一端が該孔部に接続され他端側が開閉自在に構成された筒状部材とを有する複数の作業口を備えている、
ことを特徴とする壁面カバー。
【請求項２】
前記廃棄物袋が、前記内側膜部材から切り離し可能に構成されている、
請求項１に記載の壁面カバー。
【請求項３】
前記廃棄物袋は、前記内側膜部材から切り離された開口が閉鎖可能に構成されている、  請求項２に記載の壁面カバー。
【請求項４】
前記廃棄物袋の開口の閉鎖が、面ファスナによって行われる、
請求項３に記載の壁面カバー。
【請求項５】
前記面ファスナ近傍に空気抜き部材が取付けられている、
請求項４に記載の壁面カバー。
【請求項６】
前記空気抜き部材にフィルタが設けられている、
請求項５に記載の壁面カバー。
【請求項７】
前記外側膜部材の四隅には、切り込みが形成されている、
請求項１ないし６のいずれか１項に記載の壁面カバー。
【請求項８】
前記外側膜部材の中央部に沿ったミシン目が形成されている、
請求項１ないし７のいずれか１項に記載の壁面カバー。
【請求項９】
前記内側膜部材は、外側膜部材と反対側の面に、ポケットを有している、
請求項１ないし８のいずれか１項に記載の壁面カバー。
【請求項１０】
透明材料で形成された内側膜部材と、不透明材料で形成され外縁部において前記内側膜部材と接合され該内側膜部材に重ねて配置される外側膜部材とを備え、前記内側膜部材が、孔部と一端が該孔部に接続され他端側が開閉自在に構成された筒状部材とを有する複数の作業口と該内側膜部材に形成された開口部に接続された廃棄物袋とを備えている壁面カバーを用いて、被覆材が付着させられた建物の壁面を覆いかつ前記被覆材を除去する被覆材除去方法であって、
前記壁面の周囲に壁面カバー取付け用部材を設置するステップと、
前記内側膜部材が前記壁面側に配置して前記壁面カバーの外縁部を前記取付け部材に接続することによって、前記壁面との間に所定幅の作業空間を残した状態で前記壁面を覆うステップと、
前記外側膜部材の少なくとも中央部分を前記壁面カバーから除去するステップと、
前記内側膜部分に設けられている前記作業口から工具を前記作業空間内に挿入し、前記壁面に付着させられている被覆材を前記工具で前記壁面から剥がし、前記廃棄物袋に収容するステップと、を備えている、
ことを特徴とする被覆材除去方法。
【請求項１１】
前記廃棄物袋を、前記内側膜部材から切り離し、切り離された開口を閉鎖するステップを更に備えている、
請求項１０に記載の被覆材除去方法。
【請求項１２】
前記被覆材を前記工具で前記壁面から剥がし、前記廃棄物袋に収容するステップが、前記内側膜部材と壁面との間の空間を減圧した状態で行われる、
請求項１０または１１に記載の被覆材除去方法。
【発明の詳細な説明】
【技術分野】
【０００１】
本発明は、概略的には、壁面カバーおよびこれを用いた被覆材除去方法に関し、詳細には、耐火被覆材等が付着させられている壁面を覆う壁面カバー、およびこのような壁面カバーを使用して壁面からの被覆材を除去する被覆材除去方法に関する。
【背景技術】
【０００２】
工場、倉庫のスレート壁、駐車場、ビル機械室のコンクリート壁等の内壁面に被覆材を付着させ、建物の耐熱性（耐火性）等を向上させることが行われている。
【発明の開示】
【発明が解決しようとする課題】
【０００３】
このような被覆材は、アスベストのように建物の完成後に人体に有害であることが判明すると、その建築物を使用している間は被覆材からの粉塵発散を防止するためこれを覆って囲い込み、建築物の解体時等には被覆材から周囲への粉塵発散を防止しつつ被覆材を壁面から除去しなければならないことになる。
【０００４】
このため、建物の使用中は、アスベストが付着させられた壁面をボードで囲い込んでおき、建物の解体時には、アスベストの飛散防止のため解体現場全体をビニールシート等で覆って密閉した状態でアスベストを壁面から剥がし、その後、建物自身の解体を行うという手法が採られている。
【０００５】
しかしながら、上記手法は、アスベストが付着させられている壁面をボードで囲い込む作業が煩雑であり、さらに、建物の解体時には、解体現場全体をビニールシート等で囲い込むという別の作業が必要となるため、費用および手間がかさむという問題を有していた。
【０００６】
このような問題は、アスベストに限らず、他の被覆材、例えばロックウールを壁面に付着させた場合にも生じる可能性がある。
【０００７】
本発明は、このような問題を解決するためになされたものであり、建物の存続中は、被覆材が付着させられている壁面を囲い込むとともに、建物の解体時には、作業者が外部から壁面の被覆材を除去する閉鎖作業空間を壁面の周囲に形成しつつ、被覆材が付着させられている壁面を覆うことができる壁面カバーを提供することを目的とする。
また、本発明は、上述したような壁面カバーを使用した被覆材除去方法を提供することも目的とする。
【課題を解決するための手段】
【０００８】
上記目的を達成するために、本発明によれば、被覆材が付着させられた建物の壁面を覆うカバーであって、透明材料で形成された内側膜部材と、不透明材料で形成され、外縁部において前記内側膜部材と接合され該内側膜部材に重ねて配置される外側膜部材と、前記内側膜部材の一面側から他面側に開口するように接続された廃棄物袋とを備え、前記内側膜部材が、孔部と一端が該孔部に接続され他端側が開閉自在に構成された筒状部材とを有する複数の作業口を備えていることを特徴とする壁面カバーが提供される。
【０００９】
このような構成を有する本発明の壁面カバーは、カバーすべき壁面の周囲に配置された取付け部材を介して被覆材が付着させられている壁面を覆うように容易に取付けることができる。そして、建物が使用されている期間は、この状態で壁面を覆うことによって、被覆材が付着させられている壁面を不透明な外側膜部材で見栄えよく目隠しし、且つ壁面に付着させられている被覆材の飛散を防止できる。
【００１０】
また、建物を解体する際には、不透明な外側膜部材の少なくとも中心部分を切り取る等して除去し、透明な内側膜部材を露出させることにより、作業者が、壁面への被覆材の付着を視認できる状態とし、この状態で、作業口から工具を差し込んで壁面に付着させられている被覆材を除去し、内側膜部材に接続された廃棄物袋内に収容する作業を行うことが可能となる。
したがって、外側膜部材を除去するという簡単な作業のみで、壁面に付着した被覆材を除去する作業が可能な状態に移行させることができる。
【００１１】
本発明の他の好ましい態様によれば、前記廃棄物袋が、前記内側膜部材から切り離し可能に構成されている。
このような構成によれば、廃棄物袋を内側膜部材から切り離すことによって、壁面から除去され廃棄物袋に収容された被覆材を周囲に飛散させることなく容易に廃棄することができる。
【００１２】
本発明の他の好ましい態様によれば、前記廃棄物袋は、前記内側膜部材から切り離された開口が閉鎖可能に構成されている。
このような構成によれば、廃棄物袋に収容された被覆材を廃棄する際、被覆材が周囲に飛散することを確実に防止することができる。
【００１３】
本発明の他の好ましい態様によれば、前記廃棄物袋の開口の閉鎖が、面ファスナによって行われる。
このような構成によれば、廃棄物袋の開口の閉鎖を容易且つ安価に行うことができる。
【００１４】
本発明の他の好ましい態様によれば、前記面ファスナ近傍に空気抜き部材が取付けられている。
このような構成によれば、閉鎖した廃棄物袋内の空間から空気を抜くことができ、廃棄物となる廃棄物袋の容積を減少させることができる。
【００１５】
本発明の他の好ましい態様によれば、前記空気抜き部材にフィルタが設けられている。
このような構成によれば、空気を抜く際に、空気と共に被覆材が廃棄物袋外に飛散することが防止される。
【００１６】
本発明の他の態様によれば、透明材料で形成された内側膜部材と、不透明材料で形成され外縁部において前記内側膜部材と接合され該内側膜部材に重ねて配置される外側膜部材とを備え、前記内側膜部材が、孔部と一端が該孔部に接続され他端側が開閉自在に構成された筒状部材とを有する複数の作業口と該内側膜部材に形成された開口部に接続された廃棄物袋とを備えている壁面カバーを用いて、被覆材が付着させられた建物の壁面を覆うかつ前記被覆材を除去する被覆材除去方法であって、前記壁面の周囲に壁面カバー取付け用部材を設置するステップと、前記内側膜部材が前記壁面側に配置して前記壁面カバーの外縁部を前記取付け部材に接続することによって、前記壁面との間に所定幅の作業空間を残した状態で前記壁面を覆うステップと、前記外側膜部材の少なくとも中央部分を前記壁面カバーから除去するステップと、前記内側膜部分に設けられている前記作業口から工具を前記作業空間内に挿入し、前記壁面に付着させられている被覆材を前記工具で前記壁面から剥がし、前記廃棄物袋に収容するステップと、を備えている、ことを特徴とする被覆材除去方法が提供される。
【００１７】
このような構成によれば、建物が使用されている期間は、被覆材が付着させられている壁面を、袋本体で見栄の良い状態で囲い込むことよって被覆材の飛散を防止し、建物を解体する際には、不透明な外側膜部材の少なくとも中心部分を除去して、透明な内側膜部材を露出させ、作業者が被覆材が付着させられている壁面を視認しながら、作業口から工具を差し込んで壁面に付着させられている被覆材を除去する作業が可能となる。
したがって、前記外側膜部材の少なくとも中央部分を前記壁面カバーから除去するという簡単な動作で、壁面カバーを、壁面に付着した被覆材を視認しながら飛散させずに除去する作業が可能な状態に移行させることができる。
【００１８】
本発明の他の好ましい態様によれば、前記廃棄物袋を、前記内側膜部材から切り離し、切り離された開口を閉鎖するステップを更に備えている。
【００１９】
本発明の他の好ましい態様によれば、前記被覆材を前記工具で前記壁面から剥がし、前記廃棄物袋に収容するステップが、前記内側膜部分と壁面との間の空間を減圧した状態で行われる。
このような構成によれば、作業中に膜部材が破れたとしても、内側膜部分と壁面との間の空間から室内側に空気が流れることがないので、作業中に膜部材が破れたとしても除去中の被覆材が室内側に流れ出すことが確実に防止される。
【発明の効果】
【００２０】
本発明によれば、建物の使用中は、被覆材が付着させられている壁面を囲い込むとともに、建物の解体時には、作業者が外部から壁面の被覆材を除去する閉鎖作業空間を壁面の周囲に形成しつつ、被覆材が付着させられている壁面を覆うことができる壁面カバーが提供される。
また、本発明によれば、上述したような壁面カバーを使用した被覆材除去方法が提供される。
【発明を実施するための最良の形態】
【００２１】
以下、添付図面を参照して、本発明の好ましい実施形態の壁面カバー１について説明する。壁面カバー１は、耐熱性等を向上させるためにアスベスト等の人体に有害な被覆材が付着させられている工場、倉庫のスレート壁、駐車場、ビル機械室のコンクリート壁等の内壁面を覆うために使用されるカバーである。
【００２２】
図１は、壁面カバー１の分解斜視図である。図１に示されているように、壁面カバー１は、長方形の膜材料から構成されている内側膜部材２と、この内側膜部材２と略同一の寸法形状を有する膜材料から構成されている外側膜部材４とを備えている。
【００２３】
壁面カバー１は、その外縁部が、覆うべき壁面を支持する鉄骨等に接続されることによって、壁面から所定距離、離れた状態で壁面を覆うものである。したがって、壁カバー１の寸法は、接続される鉄骨等の間隔に合うように設定され、例えば、幅２ないし５ｍ、長さ４ないし８ｍ程度である。
【００２４】
内側膜部材２は、透明な膜材料で構成されている。この透明材料としては、例えば、塩化ビニル樹脂系フィルム、フッ素樹脂系フィルム、ポリオレフィン系樹脂フィルム、その他の合成樹脂系フィルム、塩化ビニル樹脂系をポリエステル繊維布にコーティングした材料、ポリオレフィン系樹脂をポリオレフィン繊維布にコーティングした材料等が挙げられる。
【００２５】
外側膜部材４は、不透明な膜材料で構成されている。この不透明材料としては、例えば、塩化ビニル系樹脂をポリエステル繊維布にコーティングした材料、ポリオレフィン樹脂をポリオレフィン繊維布にコーティングした材料、フッ素系樹脂をポリエステル繊維布にコーティングした材料、フッ素系樹脂をガラス繊維布にコーティングした材料、ガラス繊維等が挙げられる。
【００２６】
内側膜部材２には、複数の円形の孔部６が、ほぼ全面にわたり所定間隔で形成されている。外側膜部材４に対向する面の各孔部６の周縁には、膜材料から構成された円筒状部材８の一端が接続され作業口１０が形成されている。円筒状部材８の他端（開口端）は、ゴム等の弾性部材によって閉鎖可能に構成されている。円筒状部材８は、内側膜部材２と同一の膜材料で形成されるのが好ましい。
作業口１０は、本実施形態では、６０ないし１００ｃｍ間隔で配置されている。
【００２７】
内側膜部材２の長手方向一端には、内側膜部材２の幅方向全長にわたって延びる細長い廃棄物袋１２が接続されている。廃棄物袋１２は、内側膜部材２の外側膜部材４側の面から他方の面に向かって開口するように、内側膜部材２の外側膜部材４側の面に接続されている。
【００２８】
本実施形態では、廃棄物袋１２は、内側袋部材２の幅方向に並んで連続的に直列に配置された３つの袋部材１４から構成されている。各袋部材１４は、独立しており、それぞれが、内側膜部材２の一方の面（外側膜部材４側面）から他方の面に向かって開口するように、内側膜部材２の一方の面に接続されている。隣接する袋部材１４の隣接する壁は、上端で面ファスナによって切り離し可能に接続されている。
【００２９】
本実施形態の壁面カバー１では、各袋部材１４は、各袋部材１４の開口端近傍に取付けられている面ファスナ１６を、内側膜部材２の一端部に設けられている面ファスナ１８と係合させることによって、内側膜部材２に切り離し可能に接続されている。
【００３０】
また、各袋部材１４は、内側膜部材２からの切り離し後に、開口端近傍で対向する面ファスナ１６同士を係合させることによって、開口端を閉鎖し、内部を密閉することができるように構成されている。
【００３１】
さらに、面ファスナ１６には空気抜き部材２０が取付けられている。空気抜き部材２０は、フィルタを内蔵したチェックバルブであり、本実施形態では、各袋本体１４に少なくとも１つの空気抜き部材２０が設けられている。
【００３２】
図１に示されているように、外側膜部材４の四隅には、Ｌ字型の切り込み２２と、この切り込み２２の両端および角部に配置された３つの円形の打ち抜き孔２４とが設けられている。切り込み２２および打ち抜き孔２４は、いずれも外側膜部材４を厚さ方向に貫通している。
【００３３】
内側膜部材２は、筒状部材８、および３つの袋部材１４によって構成される廃棄物袋１２が外側膜部材４と対向するようにして、外側膜部材４と整列して重ね合わされ、外縁部で接合されている。従って、筒状部材８、および３つの袋部材１４によって構成される廃棄物袋１２は、畳まれた状態で内側膜部材２と外側膜部材４の間に配置されている。
また、外側膜部材４の一端には、壁面カバー１の取り扱い方法を示すマニュアル、外側膜部材４を切断するための後述するテープ切断器等を収容するためのポケットＰが設けられている。
【００３４】
次に壁面カバー１の使用方法について説明する。図２は、アスベストが付着させられた建物の天井壁、および側壁を壁面カバー１で覆った状態を示す斜視図であり、図３は図２のIII−III線に沿った断面図である。
【００３５】
壁面カバー１は、建物使用時には、不透明な外側膜部材４が室内側に向くようにして、アスベスト２６が付着した側壁面２８、天井壁面３０を覆っている。側壁面２８では、壁面カバー１は、周縁が、側壁面２８を囲む鉄骨３２、３４、３６、３８に取付けられた断面略Ｕ字型のレール４０に連結され、これらの鉄骨３２、３４、３６、３８に囲まれた領域を覆っている。なお、レール４０は図２等の斜視図では省略されている。
【００３６】
まず、側壁を覆う壁面カバー１の縁部１ａは、図４に示されているように、断面Ｈ字型の鉄骨３２、３４、３６、３８の側端面にボルト等で取付けられた断面Ｕ字型のレール４０の内周面に沿って配置される。次に、壁面カバー１の側端部の内側に、図５に示されているようなスプリング４４が配置される。スプリング４４の幅Ｗは、レール４０の内周面の幅より大きく設定されているので、壁面カバー１の側端部の内側に配置されたスプリング４４は、レール４０との間で壁面カバー１の端部１ａを挟持し、壁面カバー１の縁部１ａは各鉄骨３２、３４、３６、３８に接続される。
【００３７】
このようにして、壁面カバー１は、アスベスト２６が付着させられている側壁面２８から所定距離をおいた位置に固定され、周囲の鉄骨３２、３４、３６、３８とともに側壁面２８を囲む内部空間を形成して側壁面２８を覆い、側壁面２８から室内へのアスベスト２６の飛散を防止する。
【００３８】
天井壁面３０は、廃棄物袋１２を備えていない点のみで壁面カバー１と異なる壁面カバー１’によって、側壁面２８と同様に覆われている。なお、本実施形態では、天井壁面３０とこれを覆う壁面カバー１’との間の空間と、側壁面２８とこれを覆う壁面カバー１との間の空間とが連続するように構成されている。
【００３９】
本実施形態の壁面カバー１は、このようにして隣接する鉄骨に間に取付けられることによって、アスベストが付着させられている工場等の内壁面を全て覆う。
【００４０】
建物を解体する際あるいは壁面の付着させられているアスベストを除去する際には、作業者Ｏが、室内側から図６に示されているようなテープ切断器４６の前部４８を外側膜部材４の切り込み２２に差し込み、切断刃５０で、外側膜部材４を外縁（図２に点線で示す）に沿って切断して外側膜部材４の中央部分を切り取り、透明な内側膜部材２を露出させる。このように外側膜部材４の中央部分を切り取ることによって、内側膜部材２の作業口１０と、廃棄物袋１２が室内側に表れる（図７）。
なお、図７では、明確化のため作業口１０と、廃棄物袋１２とが引っ張られた状態で示されているが、実際には、これらは膜材料で構成されているので、下方に垂れ下がった状態となっている。
【００４１】
次いで、図８に示されているように、作業口１０の一つから、吸引機（ＨＥＰＡフィルタ付負圧除塵装置）Ｓに接続された吸引ノズル５２を壁面カバー１と側壁面２８との間の空間内に差し込む。吸引ノズル５２が差し込まれている作業口１０は、外側からゴムあるいはひも等によって外側から締められ、円筒状部材８が吸引ノズル５２の外周に密着させられる。吸引機Ｓには、アスベストを除去可能なフィルタが取付けられている。
【００４２】
吸引機Ｓを作動させて、壁面カバー１（内側膜部材２）と側壁面２８との間の空間内を減圧しながら、作業口１０の一つから杖の付いたヘラＨを壁面カバー１と側壁面２８との間の空間内に差し込み、側壁面２８の表面に付着させられているアスベスト２６を掻き取り、掻き取った被覆材２６’を廃棄物袋１２（袋部材１４）内に落とす。作業者は、透明な内側膜部材２を通してアスベスト２６が付着している側壁面を視認しながら作業を進めることになる。他の作業口１０は、ゴムあるいはひも等によって外側から締められて閉鎖されている。
【００４３】
図８に示されているように、吸引ノズル５２を、壁面カバー１（露出した内側膜部材２）を室内側に引っ張るように壁面カバー１（露出した内側膜部材２）に接続するので、吸引機Ｓによって壁面カバー１（内側膜部材２）と側壁面２８との間の空間内を減圧しても、壁面カバー１（露出した内側膜部材２）が室内側に引っ張られ壁面カバー１（露出した内側膜部材２）と側壁面２８との間に十分な作業空間が確保される。
【００４４】
一つの作業口１０から掻き取りが完了すると、他の作業口１０からヘラＨを差し込み、同様の作業を続け、側壁面２８全体からアスベスト２６を掻き落とす。
【００４５】
さらに、天井壁面に対しても、同様の作業を行う。上述したように本実施形態では、天井壁面３０を覆う壁面カバー１’は廃棄物袋１２を備えず、天井壁面３０とこれを覆う壁面カバー１’との間の空間と、側壁面２８とこれを覆う壁面カバー１との間の空間とが連続するように構成されているので、天井壁面３０から掻き落とされたアスベスト２６も側壁面を覆う壁面カバー１の廃棄物袋１２（袋部材１４）内に落下する。
【００４６】
本実施形態の壁面カバー１では、外側膜部材４の中央部分を切り取るという簡単な動作で、壁面カバー１を、壁面２８、３０に付着したアスベスト２６を除去する作業が可能な状態に移行させることができる。このとき、作業口１０の開口端（先端）は、ゴムあるいはひもで閉鎖されるので、掻き落とされたアスベストが室内に飛散することはない。
また、アスベストの除去中に、壁面カバー１と壁面２８、３０との間の空間は、減圧されているので、万一、壁面カバー１が破損したり、壁面カバー１と鉄骨との間に隙間ができても破損部等からアスベストが室内側に飛散することが防止される。
さらに、透明な内側膜部材２を通してアスベスト２６を視認しながら作業を進めることができるので壁面２８、３０からアスベスト２６を確実に掻き落とすことができる。
【００４７】
壁面２８、３０からのアスベスト２６の掻き落とし作業が終了すると、各袋部材１４の開口端近傍に取付けられている面ファスナ１６を、内側膜部材２の一端部に設けられている面ファスナ１８から剥がすことによって、各袋部材１４を内側膜部材２から切り離す（図９）。
【００４８】
さらに、各袋部材１４の開口端近傍で対向する面ファスナ１６同士を係合させることによって、各袋部材１４の開口端を閉鎖し、袋部材１４の内部を密閉する。
さらに、面ファスナ１６には空気抜き部材２０を通して袋部材１４の内部の空気を抜いた後、袋部材１４を掻き取られたアスベスト２６’とともに廃棄する。
【００４９】
図１０は、天井壁面３０も、廃棄物袋１２を備えている上記実施形態の壁面カバー１で覆った状態の図１０と同様の図面である。この構成では、天井壁面３０とこれを覆う壁面カバー１との間の空間と、側壁面２８とこれを覆う壁面カバー１との間の空間とが分離され、天井壁面３０に付着させられていたアスベストは、天井壁面３０を覆う壁面カバー１の廃棄物袋１２に収容され、この廃棄物袋１２とともに廃棄される。
【００５０】
図１１は、コンクリート製のフラット天井壁面に、コンクリート梁を利用して壁面カバー１を取付けた状態を下方から見た斜視図である。
このような壁面では、図１２で示されている断面Ｌ字型の金具５４を梁５６の内側面にビス５８で固定し、この金具５４に設けられている断面Ｕ字型の受け部５４ａに壁面カバー１の縁部１ａを収容し、さらに、縁部１ａの内側から断面Ｕ字型の弾性金具６０で端部１ａをＵ字型の受け部５４ａに押しつけることによって、壁面カバー１の縁部１ａを梁５６に接続することができる。
【００５１】
本発明は、上記実施形態に限定されることなく、特許請求の範囲に記載された技術的思想の範囲内で種々の変更、変形が可能である。
【００５２】
上記実施形態では、廃棄物袋１２は、壁面カバー１の端部に形成されていたが、端部以外の位置、例えば壁面カバー１の中央に形成されていてもよい。
また、上記実施形態の壁面カバー１は、外側膜部材４の四隅にＬ字型の切り込み２２が形成されている構成であったが、切り込みの形状、位置、数が異なっていてもよい。さらに、切り込み２２に替えて、取り除くべき外側膜部材４の中央部分に沿ったミシン目を、外側膜部材４に形成する構成でもよい。
【００５３】
さらに、上記実施形態では、廃棄物袋１２は３つの袋部材１４から構成されていが、廃棄物袋が１または４以上の袋部材から構成されるものであってもよい。
【００５４】
また、壁面カバーの縁部の壁面への配置方法は、レール、スプリング等を使用した上記実施形態の方法に限定されるものではない。
【図面の簡単な説明】
【００５５】
【図１】本発明の好ましい実施形態の壁面カバーの分解斜視図である。
【図２】アスベストが付着させられた建物の天井壁、および側壁を壁面カバーで覆った状態を示す斜視図である。
【図３】図２のIII−III線に沿った断面図である。
【図４】壁面カバーの縁部の鉄骨への接続方法を示す模式的な断面図である。
【図５】壁面カバーの縁部を鉄骨に接続する際に使用するスプリングの平面図である。
【図６】外側膜部材の中央部分を切り取る際に使用するテープ切断器の平面図である。
【図７】外側膜部材の中央部分を切り取られた状態での図２と同様の斜視図である。
【図８】アスベスト除去作業を説明するための図面である。
【図９】廃棄物袋を取り外した状態の図７と同様の斜視図である。
【図１０】図２の変形例の斜視図である。
【図１１】コンクリート製のフラット天井壁面に、コンクリート梁を利用して壁面カバーを取り付けた状態を下方から見た斜視図である。
【図１２】図１１における壁面カバーの縁部の鉄骨への接続方法を示す模式的な断面図である。
【符号の説明】
【００５６】
１：壁面カバー
２：内側膜部材
４：外側膜部材
６：孔部
８：円筒状部材
１０：作業口
１２：廃棄物袋
１４：袋部材
２６：アスベスト
２８：側壁面
３２、３４、３６、３８：鉄骨
４０：レール
４４：スプリング
【図１】
0004745856.tif 000002
【図２】
0004745856.tif 000003
【図３】
0004745856.tif 000004
【図４】
0004745856.tif 000005
【図５】
0004745856.tif 000006
【図６】
0004745856.tif 000007
【図７】
0004745856.tif 000008
【図８】
0004745856.tif 000009
【図９】
0004745856.tif 000010
【図１０】
0004745856.tif 000011
【図１１】
0004745856.tif 000012
【図１２】
0004745856.tif 000013